(57)【要約】【課題】ある機能の中央制御装置を設置した後に他の機能の中央制御装置として動作させることが可能な照明制御システムを提供することである。【解決手段】中央制御装置１０は、システム全体を管理するもので、複数の動作モードに対応した異なったプログラムが記憶されており、各動作モードのプログラムにはその動作モードに対応した複数の点消灯制御データを含んでいる。監視端末器２０は、外部からの入力を検出して伝送信号線を介して中央制御装置に信号を送信する。制御端末器３０は、中央制御装置からの制御信号を伝送信号線を介して受信して照明負荷４０に対してその信号内容に応じた制御動作を行う。設定器６０は、監視端末器又は制御端末器の各端末器を介して伝送信号線に接続され、各端末器のアドレス設定及び中央制御装置に記憶されるプログラム設定及び中央制御装置の動作モードの変更設定を行うことが可能である。【選択図】  図１
2007227100.tif 000002
【特許請求の範囲】
【請求項１】
システム全体を管理するもので、複数の動作モードに対応した異なったシステムデータが記憶されており、各動作モードのシステムデータにはその動作モードに対応した複数の点消灯制御データを含んでいる中央制御装置と；
外部からの入力を検出して前記中央制御装置に検出信号を伝送信号線を介して送信する監視端末器と；
前記監視端末器からの検出信号に基づいて前記中央制御装置から出力される制御信号を前記伝送信号線を介して受信して照明負荷に対してその信号内容に応じた制御動作を行う制御端末器と；
前記監視端末器又は制御端末器の各端末器を介して前記伝送信号線に接続され、前記各端末器のアドレス設定、前記中央制御装置に記憶されるシステムデータ設定、及び前記複数の動作モードのうちの１つの動作モード設定を行う設定器と；
を具備したことを特徴とする照明制御システム。
【請求項２】
前記設定器は、前記中央制御装置の動作モードを確認するための手段を備えたことを特徴とする請求項１記載の照明制御システム。
【請求項３】
前記中央制御装置は、動作中の動作モードを確認するための手段を備えたことを特徴とする請求項１又は２に記載の照明制御システム。
【請求項４】
システム全体を管理するもので、複数の動作モードに対応した異なったシステムデータが記憶されており、各動作モードのシステムデータにはその動作モードに対応した複数の点消灯制御データが含まれており、前記複数の動作モードのうちの１つの動作モードの設定を行う動作モード設定手段を備えた中央制御装置と；
外部からの入力を検出して前記中央制御装置に検出信号を伝送信号線を介して送信する監視端末器と；
前記監視端末器からの検出信号に基づいて前記中央制御装置から出力される制御信号を前記伝送信号線を介して受信して照明負荷に対してその信号内容に応じた制御動作を行う制御端末器と；
前記監視端末器又は制御端末器の各端末器を介して前記伝送信号線に接続され、前記各端末器のアドレス設定を行う設定器と；
を具備したことを特徴とする照明制御システム。
【発明の詳細な説明】
【技術分野】
【０００１】
本発明は、屋内外の複数の被照明系統を構築する場合に、中央制御装置の機能をある機能から他の機能に変更して動作させることが可能な照明制御システムに関する。
【背景技術】
【０００２】
従来、屋内外の複数の照明負荷を点消灯及び調光すると共に、照明負荷の点消灯状態を監視する照明制御システムが用いられている。
【０００３】
この照明制御システムの１つに、集中型の照明制御システムがある。  
集中型の照明制御システムは、システム全体を管理する中央制御装置と、人の操作などを検出して前記中央制御装置に信号を送信する監視端末器と、前記中央制御装置からの制御信号を受信して照明負荷に対してその信号内容に応じた制御動作を行う制御端末器とを、伝送信号線で接続して構成されるもので、監視端末器の操作スイッチで複数の照明負荷を点消灯させるために、中央制御装置には複数の点消灯制御データを記憶させることが必要である。
【０００４】
非特許文献１には、上記のような集中型の照明制御システムが記載されており、異なる照明制御システム動作をさせるには、中央制御装置の機能も異なることになるため、基本となる中央制御装置（伝送ユニット）のほかに、グルーブ監視表示型の機能を持った中央制御装置が掲載されている。
【非特許文献１】松下電工「多重伝送フル二線式リモコン」カタログ，http://biz.national.jp/Ebox/jyusetsu/pdf/0176.html
【発明の開示】
【発明が解決しようとする課題】
【０００５】
しかしながら、非特許文献１に記載のシステムでは、一部の機能が異なるためにそれぞれ異なった機能の中央制御装置を製造する必要がある。また、ある機能の中央制御装置を設置した後に他の機能の中央制御装置として動作させる場合には中央制御装置の交換が必要になる。
【０００６】
そこで、本発明は上記の問題に鑑み、ある機能の中央制御装置を設置した後に他の機能の中央制御装置として動作させることが可能な照明制御システムを提供することを目的とするものである。
【課題を解決するための手段】
【０００７】
請求項１の発明による照明制御システムは、システム全体を管理するもので、複数の動作モードに対応した異なったシステムデータが記憶されており、各動作モードのシステムデータにはその動作モードに対応した複数の点消灯制御データを含んでいる中央制御装置と；外部からの入力を検出して前記中央制御装置に検出信号を伝送信号線を介して送信する監視端末器と；前記監視端末器からの検出信号に基づいて前記中央制御装置から出力される制御信号を前記伝送信号線を介して受信して照明負荷に対してその信号内容に応じた制御動作を行う制御端末器と；前記監視端末器又は制御端末器の各端末器を介して前記伝送信号線に接続され、前記各端末器のアドレス設定、前記中央制御装置に記憶されるシステムデータ設定、及び前記複数の動作モードのうちの１つの動作モード設定を行う設定器と；を具備したことを特徴とする。
【０００８】
上記の説明で、監視端末器は、壁などに設置された操作スイッチ又は明るさセンサなどを有した端末であり、制御端末器が制御する負荷は、放電灯などの照明負荷である。また、システムデータとは、照明制御システムのシステム動作に加えて、例えば誘導灯制御システムや防犯システム等の複数の動作モードに対応した異なったシステム動作を実行するための複数のプログラムデータである。
【０００９】
請求項１の発明においては、中央制御装置は異なるシステム動作をするための複数の動作モードを備え、その動作モードの変更を設定器により伝送信号線経由で中央制御装置に対して行うことが可能である。
【００１０】
請求項２の発明による照明制御システムは、請求項１に記載の発明において、前記設定器は、前記中央制御装置の動作モードを確認するための手段を備えたことを特徴とする。ここで、動作モードを確認するための手段は、動作モードを表する表示手段のほかに、動作モードを音声出力して知らせる音声出力手段であってもよい。
【００１１】
請求項２の発明においては、作業者が、設定器からの動作モード確認操作を行うことにより、中央制御装置は自身に設定された動作モードを伝送信号線経由で設定器に通知し、設定器の表示部などに表示して確認可能である。
【００１２】
請求項３の発明による照明制御システムは、請求項１又は２に記載の発明において、前記中央制御装置は、動作中の動作モードを確認するための手段を備えたことを特徴とする。ここで、動作モードを確認するための手段は、動作モードを表する表示手段のほかに、動作モードを音声出力して知らせる音声出力手段であってもよい。
【００１３】
請求項３の発明においては、作業者は、中央制御装置に設けられた表示部などに動作モードが表示されるので、中央制御装置の動作モードを確認することができる。
【００１４】
請求項４の発明による照明制御システムは、システム全体を管理するもので、複数の動作モードに対応した異なったシステムデータが記憶されており、各動作モードのシステムデータにはその動作モードに対応した複数の点消灯制御データが含まれており、前記複数の動作モードのうちの１つの動作モードの設定を行う動作モード設定手段を備えた中央制御装置と；外部からの入力を検出して前記中央制御装置に検出信号を伝送信号線を介して送信する監視端末器と；前記監視端末器からの検出信号に基づいて前記中央制御装置から出力される制御信号を前記伝送信号線を介して受信して照明負荷に対してその信号内容に応じた制御動作を行う制御端末器と；前記監視端末器又は制御端末器の各端末器を介して前記伝送信号線に接続され、前記各端末器のアドレス設定を行う設定器と；を具備したことを特徴とする。ここで、動作モード設定手段は、例えばディップスイッチである。
【００１５】
請求項４の発明においては、作業者は、中央制御装置の動作モードを、中央制御装置側で変更操作することができる。
【発明の効果】
【００１６】
請求項１の発明によれば、中央制御装置の動作モードを設定器を用いて外部より設定・変更可能となり、中央制御装置の機種種類を削減できる。
【００１７】
請求項２の発明によれば、中央制御装置の動作モードが中央制御装置の設置場所以外からも確認可能となる。
【００１８】
請求項３記載の発明によれば、中央制御装置単体での動作モード確認が可能となる。
【００１９】
請求項４記載の発明によれば、設定器を使用しなくとも中央制御装置の動作モードを設定・変更可能になる。
【発明を実施するための最良の形態】
【００２０】
発明の実施の形態について図面を参照して説明する。  
【実施例１】
【００２１】
図１は本発明の実施例１の照明制御システムを示す構成図である。
【００２２】
図１において、照明制御システム１００は、中央制御装置１０と、監視端末器２０と、制御端末器３０と、照明負荷４０と、伝送信号線５０と、設定器６０とを備えている。
【００２３】
中央制御装置１０は、システム全体を管理するもので、複数の動作モードに対応した異なったシステムデータとしての複数のプログラムが記憶されており、各動作モードのプログラムにはその動作モードに対応した複数の点消灯制御データを含んでいる。設定器６０から動作モード変更操作を行うことにより、実行されるプログラムを変更して動作モードを変更できる。中央制御装置１０は、伝送信号線５０を介して監視端末器２０及び制御端末器３０と接続し、監視端末器２０の操作スイッチやセンサからの検出信号を受けて制御信号を出力し、伝送信号線５０を介して制御端末器３０のリレーなどを制御して照明負荷４０の点消灯や調光を制御する。
【００２４】
監視端末器２０は、人の操作入力など外部からの入力を検出して伝送信号線５０を介して中央制御装置１０に検出信号を送信する端末器であり、壁スイッチや人感センサなどが該当する。壁スイッチは、壁面などに設けられて人が操作可能な操作スイッチ付きの監視端末器である。人感センサは、その近くを人が通過したときに人が放射している赤外線を検知して検知信号を出力する焦電センサ付きの監視端末器である。
【００２５】
制御端末器３０は、監視端末器２０からの検出信号に応じて中央制御装置１０が送信（出力）した制御信号を伝送信号線５０を介して受信してリレーなどを制御することで、照明器具等の照明負荷４０に対してその制御信号に応じた制御動作を行う。制御動作としては点消灯や調光などの制御がある。
【００２６】
設定器６０は、ケーブル６０ａにて監視端末器２０又は制御端末器３０の各接続部と接続可能となっており、監視端末器２０又は制御端末器３０の各端末器２０，３０を介して伝送信号線５０に接続されて、各端末器２０，３０のアドレス設定及び中央制御装置１０に記憶されるプログラム設定を行う一方、中央制御装置１０に記憶してある複数の動作モードに対応した複数のプログラムから実行すべき１つの動作モードプログラムを選んで設定できる。
【００２７】
以上の構成において、壁スイッチや人感センサなどの監視端末器２０は外部からの入力を検出し、伝送信号線５０を介して中央制御装置１０に通知する。監視端末器２０からの入力に応じて中央制御装置１０は、制御信号を制御端末器３０へ送信する。制御端末器３０は、中央制御装置１０が送信した制御信号により自身のリレーなどを制御して照明負荷４０の点消灯や調光を制御する。
【００２８】
一方、設定器６０は、各種端末器２０，３０を介して伝送信号線５０に接続され、各種端末器２０，３０のアドレス設定、中央制御装置１０内に記憶されるグループ制御やパターン制御のシステム情報設定、中央制御装置１０の動作モード設定などを行う。
【００２９】
図２乃至図４に、上記照明制御システム１００内における、中央制御装置 １０、監視端末器２０、及び制御端末器３０の構成を示す。
【００３０】
中央制御装置１０は、図２に示すように、伝送信号線５０と接続してデータ授受を行うための伝送インターフェースとしての伝送部１１と、ＣＰＵなどで構成されて、データ変換等の処理や各端末器２０，３０の監視等を行う制御部１２と、各端末器２０，３０の制御データや中央制御装置１０自身の複数の動作モードに対応した複数のプログラムを記憶するための記憶部１３と、中央制御装置１０自身の動作中の動作モードを確認するための手段としての表示部１４と、中央制御装置１０自身の動作モードを設定する手段としてのディップスイッチ１５とを備えている。
【００３１】
監視端末器２０は、図３に示すように、伝送信号線５０と接続してデータ授受を行うための伝送インターフェースである伝送部２１と、ＣＰＵ（中央演算処理装置）などで構成されて、操作スイッチ部２４の動作状態の監視，操作入力データの受信及び解読，データ変換などの処理を行う制御部２２と、照明制御システム上における自端末器のアドレスなどを記憶してある記憶部２３と、室内外の壁などに設置した操作スイッチ部２４（或いは室内外の明るさの照度を監視する光センサなどのセンサ部）と、設定器６０をケーブル６０ａを用いて接続するための設定器接続部２５とを備えている。
【００３２】
制御端末器３０は、図４に示すように、伝送信号線５０と接続してデータ授受を行うための伝送インターフェースとしての伝送部３１と、ＣＰＵなどで構成されて、制御データ解読や駆動部３４へのデータ変換なとの処理を行う制御部３２と、照明制御システム上における自端末器のアドレスなどを記憶してある記憶部３３と、制御部３２からの信号に基づいて照明負荷４０に対する駆動制御を行う駆動部３４と、設定器６０をケーブル６０ａを用いて接続するための設定器接続部３５とを備えている。
【００３３】
図５は上記設定器６０を示す平面図である。  
図５において、設定器６０は、ケーブル６０ａの一端が接続するコネクタ部６１と、中央制御装置１０の動作モードを確認するための手段としての表示部６２と、複数の操作スイッチを備えた操作入力部６３とを備えている。例えば、作業者は、設定器６０からの中央制御装置１０の動作モードを変更操作して、中央制御装置１０で実行されるプログラムを変更することによりシステム動作を変更することができる。なお、中央制御装置１０の動作モードの変更操作は、中央制御装置１０に設けたディップスイッチ１５にて行うことも可能である。
【００３４】
従って、本実施例１の照明制御システムによれば、例えばビル内に、ある機能の中央制御装置１０を設置した後に他の機能の中央制御装置として動作させることが可能となり、中央制御装置の交換を必要としない。
【００３５】
また、中央制御装置の複数の機能（即ち動作モード）を設定器で容易に変更設定することができる。つまり、中央制御装置は通常、天井裏に置かれたり、普段人が立ち入らない所に設置されていたりするが、生活空間内に置かれた壁スイッチなどの監視端末器や制御端末器に携帯可能な設定器を接続して中央制御装置の動作モード切り替えを行うことができ、便利である。
【００３６】
次に、図１の照明制御システムの動作を、図６及び図７を参照して説明する。
【００３７】
１台の中央制御装置１０には、複数（図では２つ）の動作モードに対応した複数（図では２つ）のシステムデータとしての複数のプログラムが記憶されている。例えば、照明器具動作モード用プログラムと誘導灯動作モード用プログラムの２つのプログラムが記憶されている。操作者は、設定器６０の操作入力部６３（図５参照）にて中央制御装置１０の動作モードを変更操作して、中央制御装置１０で実行されるプログラムを照明器具動作モード用プログラムと誘導灯動作モード用プログラムとのいずれか一方に変更設定できるようになっている。
ここで、例えば、ビル内に、伝送信号線５０Ａに接続可能な照明器具系のほかに、伝送信号線５０Ｂに接続可能な誘導灯系を構築する場合に、同じ仕様の２台の中央制御装置１０Ａ，１０Ｂを用意し、中央制御装置１０Ａ，１０Ｂを各伝送信号線５０Ａ，５０Ｂを用いて、ビル内に既に配設されている照明器具系及び誘導灯系にそれぞれ接続して使用する。
【００３８】
図６は中央制御装置１０Ａを伝送信号線５０Ａを介して照明器具系に接続した状態を示し、図７は中央制御装置１０Ｂを伝送信号線５０Ｂを介して誘導灯系に接続した状態を示している。
【００３９】
照明器具系とは、伝送信号線５０Ａに接続する、監視端末器機能をそれぞれ備えた壁スイッチ２０Ａ〜２０Ｃ，監視端末器機能をそれぞれ備えた調光センサ２０Ｄ及び人感センサ２０Ｅ，監視端末器機能を備えた外部連動用の接点入力ユニット２０Ｆ，制御端末器機能を備え照明器具４０Ａ〜４０Ｄを点消灯制御可能なリレーユニット３０Ａを指している。
【００４０】
また、誘導灯系とは、伝送信号線５０Ｂに接続する、監視端末器機能をそれぞれ備えた複数の誘導灯２０Ｇ〜２０Ｌを指している。
【００４１】
そして、作業者は、中央制御装置１０Ａ，１０Ｂの電源を投入した後、設定器６０を照明器具系の例えば壁スイッチ２０Ａに接続して設定器６０の操作入力部６３を操作し、図６に示すように中央制御装置１０Ａの動作モードを照明器具動作モードに設定し確定させる。図６で中央制御装置１０Ａの実線枠に示す照明器具動作モード用プログラムが、実行されるプログラムに設定されたことを示している。これによって、中央制御装置１０Ａは、照明器具系の制御動作が可能となり、照明器具系の照明制御システムが構築されたことになる。
【００４２】
壁スイッチ２０Ａ〜２０Ｃはそれぞれ、点灯・消灯させるためのスイッチの機能と、調光するための調光スイッチの機能とを備えている。壁スイッチを点灯・消灯用のスイッチにするか、調光用のスイッチするか、という設定も設定器から壁スイッチに対してのみ設定することができる。即ち、中央制御装置のモード設定は、例えば壁スイッチに接続した設定器から伝送信号線を介して行われ、壁スイッチに対する点灯・消灯用スイッチ又は調光用の設定は、壁スイッチに接続した設定器と壁スイッチとの間でのみ行われる。
【００４３】
調光センサ２０Ｄは、明るさセンサ，照度センサと呼ばれるものと同様であり、明るさが一定以上であるときにこれを検知して、中央制御装置１０Ａに通知し、中央制御装置１０Ａは制御端末器であるリレーユニット３０Ａを制御して、消費電力を節約するために照明器具４０Ａ〜４０Ｄを調光又は消灯する制御を行う。
【００４４】
リレーユニット３０Ａは、複数（図では４つ）の照明器具４０Ａ〜４０Ｄに対応した複数（図では４つ）のアドレスを持っていて、どの照明器具を点消灯するかを制御できる。
【００４５】
外部連動用の接点入力ユニット２０Ｆは、例えば外部の自動火災警報装置（図示せず）からの火災検知信号が入ると、これをと連動して中央制御装置１０Ａに通知し、中央制御装置１０Ａは制御端末器であるリレーユニット３０Ａを制御して、照明器具４０Ａ〜４０Ｄを適宜に点消灯制御する。接点入力ユニット２０Ｆは、自動火災警報装置からの２線を接続する端子台を有していて、火災が発生したらその２線を短絡したり開放したりし、短絡・開放を検出したとき検出信号を出力して、中央制御装置１０Ａに通知する。中央制御装置１０Ａには予め火災制御パターンが設定されていて、接点入力ユニット２０Ｆからの検出信号が入ってくると、その火災制御パターンでリレーユニット３０Ａに制御をかけることによって、照明器具４０Ａ〜４０Ｄを適宜に点消灯制御する。
【００４６】
次に、作業者は、設定器６０を誘導灯系の例えば誘導灯２０Ｇに接続して設定器６０の操作入力部６３を操作し、図７に示すように中央制御装置１０Ｂの動作モードを誘導灯動作モードに設定し確定させる。図７で中央制御装置１０Ｂの実線枠に示す誘導灯動作モード用プログラムが、実行されるプログラムに設定されたことを示している。これによって、中央制御装置１０Ｂは、誘導灯系の制御動作が可能となり、誘導灯系の照明制御システムが構築されたことになる。
【００４７】
誘導灯２０Ｇ〜２０Ｌはそれぞれ、バッテリを備えている。火災が発生して断線し、交流電源が供給されなくなったときに自身の持っているバッテリで誘導灯を点灯させることができる。バッテリは定期的に充電しても徐々に機能（充電容量など）が落ちてくるので、中央制御装置１０Ｂで定期的にバッテリの性能を示す点検データを取得して中央制御装置１０Ｂの表示部でモニタできるようにしている。具体的には、バッテリの性能が低下してきているかどうかを点検するために、中央制御装置１０Ｂからバッテリに切り替える制御信号（バッテリテスト点灯制御信号）を発し、監視端末器の機能を有する誘導灯ではバッテリに切り替えて実際にバッテリ点灯させる。規定時間（１０分とか２０分）点灯させた時点でそのときのバッテリの出力電圧を一定電圧値と比較し、一定電圧以下ならばその結果を中央制御装置１０Ｂに通知する。これによって、作業者はどの誘導灯がバッテリ交換を要するかを知ることができる。
【図面の簡単な説明】
【００４８】
【図１】本発明の実施例１の照明制御システムを示す構成図。
【図２】図１の照明制御システム内における中央制御装置の構成を示すブロック図。
【図３】図１の照明制御システム内における制御端末器の構成を示すブロック図。
【図４】図１の照明制御システム内における監視端末器の構成を示すブロック図。
【図５】図１の照明制御システム内における設定器を示す平面図。
【図６】図１の照明制御システムにおける、照明器具動作モード設定時の照明器具系の接続状態の一例を示す図。
【図７】図１の照明制御システムにおける、誘導灯動作モード設定時の誘導灯系の接続状態の一例を示す図。
【符号の説明】
【００４９】
１０…中央制御装置、２０…監視端末器、３０…制御端末器、４０…照明負荷、５０…伝送信号線、６０…設定器、１００…照明制御システム。
【図１】
2007227100.tif 000003
【図２】
2007227100.tif 000004
【図３】
2007227100.tif 000005
【図４】
2007227100.tif 000006
【図５】
2007227100.tif 000007
【図６】
2007227100.tif 000008
【図７】
2007227100.tif 000009